(57)【要約】【課題】複数の移動局に関する複数のE-RABを解放するときにMMEにかかる負荷を軽減する通信システムを提供する。【解決手段】複数の移動局UEに関する複数のE-RABを解放すべき契機をモビリティ管理エンティティMMEが検出すると、解放すべき複数のE-RABを一括して特定する単一のE-RAB解放情報メッセージを移動局UEと通信している基地局eNBにモビリティ管理エンティティMMEが送信する。E-RAB解放情報メッセージを受信すると、単一のE-RAB解放情報受領確認メッセージを基地局eNBがモビリティ管理エンティティMMEに送信する。E-RAB解放情報受領確認メッセージを受信すると、モビリティ管理エンティティMMEが複数のE-RABに関する情報を解放されたことを示すように更新する。【選択図】図４
2013187672.tif 000002
【特許請求の範囲】
【請求項１】
基地局と、モビリティ管理エンティティとを備え、
前記モビリティ管理エンティティは、
複数の移動局に関する複数のE-UTRAN Radio Access Bearer (E-RAB)を解放すべき契機を検出する検出部と、
前記検出部で検出された解放すべき複数のE-RABを一括して特定する単一のE-RAB解放情報メッセージを前記移動局と通信している前記基地局に送信するモビリティ管理エンティティ送信部と、
前記基地局から単一のE-RAB解放情報受領確認メッセージを受信するモビリティ管理エンティティ受信部と
を備え、
前記基地局は、
前記E-RAB解放情報メッセージを受信する基地局受信部と、
前記基地局受信部が前記E-RAB解放情報メッセージを受信すると、単一のE-RAB解放情報受領確認メッセージを前記モビリティ管理エンティティに送信する基地局送信部と
を備える通信システム。
【請求項２】
前記基地局は、
前記基地局受信部が前記E-RAB解放情報メッセージを受信した後に、前記複数の移動局の各々に前記E-RABを解放するように指示する無線送信部をさらに備えることを特徴とする請求項１に記載の通信システム。
【請求項３】
前記モビリティ管理エンティティは、
前記モビリティ管理エンティティ受信部が前記E-RAB解放情報受領確認メッセージを受信すると、前記複数のE-RABに関する情報を解放されたことを示すように更新するE-RAB情報更新部をさらに備えることを特徴とする請求項１または２に記載の通信システム。
【請求項４】
前記モビリティ管理エンティティ送信部は、
前記E-RAB解放情報メッセージを前記モビリティ管理エンティティ送信部が前記基地局に送信した後の一定時間に、E-RAB解放情報受領確認メッセージを前記基地局から前記モビリティ管理エンティティ受信部が受信しない場合に、前記E-RAB解放情報メッセージを前記基地局に再送する
ことを特徴とする請求項１から請求項３のいずれかに記載の通信システム。
【請求項５】
前記基地局は、
前記基地局受信部が前記E-RAB解放情報メッセージを受信した後に、前記複数のE-RABに関する情報を解放されたことを示すように更新するE-RAB情報更新部をさらに備えることを特徴とする請求項１から請求項４のいずれかに記載の通信システム。
【請求項６】
基地局と、モビリティ管理エンティティとを備え、
前記基地局は、
前記基地局が通信している複数の移動局に関する複数のE-RABを解放すべき契機を検出する検出部と、
前記検出部で検出された解放すべき複数のE-RABを一括して特定する単一のE-RAB解放情報メッセージをモビリティ管理エンティティに送信する基地局送信部と、
前記モビリティ管理エンティティから単一のE-RAB解放情報受領確認メッセージを受信する基地局受信部と
を備え、
前記モビリティ管理エンティティは、
前記E-RAB解放情報メッセージを受信するモビリティ管理エンティティ受信部と、
前記モビリティ管理エンティティ受信部が前記E-RAB解放情報メッセージを受信すると、単一のE-RAB解放情報受領確認メッセージを前記基地局に送信するモビリティ管理エンティティ送信部と
を備える通信システム。
【請求項７】
前記基地局は、
前記基地局送信部が前記E-RAB解放情報メッセージを送信した後に、前記複数の移動局の各々に前記E-RABを解放するように指示する無線送信部をさらに備えることを特徴とする請求項６の通信システム。
【請求項８】
前記モビリティ管理エンティティは、
前記モビリティ管理エンティティ受信部が前記E-RAB解放情報メッセージを受信した後に、前記複数のE-RABに関する情報を解放されたことを示すように更新するE-RAB情報更新部とをさらに備えることを特徴とする請求項６または請求項７に記載の通信システム。
【請求項９】
前記基地局送信部は、
前記E-RAB解放情報メッセージを前記基地局送信部が前記モビリティ管理エンティティに送信した後の一定時間に、E-RAB解放情報受領確認メッセージを前記モビリティ管理エンティティから前記基地局受信部が受信しない場合に、前記E-RAB解放情報メッセージを前記モビリティ管理エンティティに再送する
ことを特徴とする請求項６から請求項８のいずれかに記載の通信システム。
【請求項１０】
前記基地局は、
前記基地局受信部が前記E-RAB解放情報受領確認メッセージを受信すると、前記複数のE-RABに関する情報を解放されたことを示すように更新するE-RAB情報更新部をさらに備えることを特徴とする請求項６から請求項９のいずれかに記載の通信システム。
【請求項１１】
複数の移動局に関する複数のE-RABを解放すべき契機を検出する検出部と、
前記検出部で検出された解放すべき複数のE-RABを一括して特定する単一のE-RAB解放情報メッセージを前記移動局と通信している基地局に送信するモビリティ管理エンティティ送信部と、
前記基地局から単一のE-RAB解放情報受領確認メッセージを受信するモビリティ管理エンティティ受信部と、
を備えるモビリティ管理エンティティ。
【請求項１２】
基地局が通信している複数の移動局に関する解放すべき複数のE-RABを一括して特定する単一のE-RAB解放情報メッセージを前記基地局から受信するモビリティ管理エンティティ受信部と、
前記モビリティ管理エンティティ受信部が前記E-RAB解放情報メッセージを受信すると、単一のE-RAB解放情報受領確認メッセージを前記基地局に送信するモビリティ管理エンティティ送信部と
を備えるモビリティ管理エンティティ。
【請求項１３】
基地局が通信している複数の移動局に関する解放すべき複数のE-RABを一括して特定する単一のE-RAB解放情報メッセージをモビリティ管理エンティティから受信する基地局受信部と、
前記基地局受信部が前記E-RAB解放情報メッセージを受信すると、単一のE-RAB解放情報受領確認メッセージを前記モビリティ管理エンティティに送信する基地局送信部と
を備える基地局。
【請求項１４】
基地局が通信している複数の移動局に関する複数のE-RABを解放すべき契機を検出する検出部と、
前記検出部で検出された解放すべき複数のE-RABを一括して特定する単一のE-RAB解放情報メッセージをモビリティ管理エンティティに送信する基地局送信部と、
前記モビリティ管理エンティティから単一のE-RAB解放情報受領確認メッセージを受信する基地局受信部と
を備える基地局。
【請求項１５】
複数の移動局に関する複数のE-RABを解放すべき契機をモビリティ管理エンティティが検出することと、
解放すべき複数のE-RABを一括して特定する単一のE-RAB解放情報メッセージを前記移動局と通信している基地局に前記モビリティ管理エンティティが送信することと、
前記E-RAB解放情報メッセージを受信すると、単一のE-RAB解放情報受領確認メッセージを前記基地局が前記モビリティ管理エンティティに送信することと
を備える通信方法。
【請求項１６】
複数の移動局に関する複数のE-RABを解放すべき契機を、前記移動局と通信している基地局が検出することと、
解放すべき複数のE-RABを一括して特定する単一のE-RAB解放情報メッセージを前記基地局がモビリティ管理エンティティに送信することと、
前記E-RAB解放情報メッセージを受信すると、単一のE-RAB解放情報受領確認メッセージを前記モビリティ管理エンティティが前記基地局に送信することと
を備える通信方法。
【発明の詳細な説明】
【技術分野】
【０００１】
本発明は、無線通信において、複数の移動局に関する複数のE-UTRAN Radio Access Bearer (E-RAB)を解放することに適する通信システム、モビリティ管理エンティティ、基地局、および通信方法に関する。
【背景技術】
【０００２】
UMTS LTE（Universal Mobile Telecommunications System Long Term Evolution）では、移動局（UE)とコアネットワーク内のノードとの間にE-UTRAN Radio Access Bearer (E-RAB)と呼ばれる論理的な通信経路が設定される。E-UTRANはEvolved Universal Terrestrial Radio Access Networkの短縮形である。通信終了のとき、E-RABは解放される。MMEは、例えば通信の課金などの目的のため、確立されているE-RABを管理する。
【０００３】
E-RABの解放に関連して、3GPP (3rd Generation Partnership Project)は、MMEと基地局（eNB）の間で交換されるメッセージを規定する（非特許文献１）。MMEが開始するE-RABの解放については、E-RAB Release CommandメッセージがMMEからeNBに送信される（非特許文献１、Sec. 8.2.3.2.1）。解放すべきE-RABを指定したこのメッセージを受信すると、eNBはE-RABを解放し、そのE-RABに対応するデータ無線ベアラおよび無線リソースを解放する。eNBが開始するE-RABの解放については、E-RAB Release IndicationメッセージがeNBからMMEに送信される（非特許文献１、Sec. 8.2.3.2.2）。解放すべきE-RABを指定したこのメッセージを受信すると、MMEはE-RABのための適切な解放措置を開始する。また、E-RABの解放に関連して、3GPPは、eNBとUEの間で交換されるRRC Connection Reconfigurationメッセージを規定する（非特許文献２、Sec. 5.3.5）。
【０００４】
複数のUEに関して複数のE-RABを解放すべき事象の発生が考えられる。例えば、音声をパケットにより通信するVoLTE (Voice over LTE)を実施中にIMS（IP Multimedia Subsystem）に支障（障害）が生じた場合には、MMEが支障を検出することになるであろう。また、MMEとeNBの間の物理回線に支障が生じた場合には、MMEまたはeNBが支障を検出する。複数のUEに関して複数のE-RABを解放すべき事象は、これらには限られない。いずれの場合も、eNBと通信している複数のUEに関する複数のE-RABを維持することはできない。したがって、これらのE-RABを一度に解放する措置が必要とされる。
【０００５】
図１は、従来の3GPPの規格に従って複数のUEに関して複数のE-RABを解放する手順の一例を示す。MMEが複数のUEに関して複数のE-RABを解放すべき契機を検出すると（例えばIMSの支障、またはMMEとeNBの間の物理回線の支障を検出すると）、非特許文献１、Sec. 8.2.3.2.1に従って、MMEはeNBに複数のUEのための複数のE-RAB Release Commandメッセージを送信する。E-RAB Release Commandメッセージの各々は、解放すべき少なくとも１つのE-RABを指定する。E-RAB Release Commandメッセージを受信した後、非特許文献２、Sec. 5.3.5に従って、eNBはそれらの複数のUEにRRC Connection Reconfigurationメッセージをそれぞれ送信する。RRC connection reconfigurationの完了を確認すると、各UEはRRC Connection Reconfiguration CompleteメッセージをeNBに送信する。また、E-RAB Release Commandメッセージを受信した後、非特許文献１、Sec. 8.2.3.2.1に従って、eNBはMMEにE-RAB Release Responseメッセージを送信する。E-RAB Release Responseメッセージには、解放に成功したE-RABのリストと、解放に失敗したE-RABのリストが示される。留意すべきなのは、解放すべきE-RABに関連する複数のUEに対応して、複数のE-RAB Release ResponseメッセージがeNBからMMEに送信されることである。つまり、送信されるE-RAB Release Responseメッセージの数はこれらのUEの数と等しい。
【０００６】
図２は、従来の3GPPの規格に従って複数のUEに関して複数のE-RABを解放する手順の他の一例を示す。eNBが複数のUEに関して複数のE-RABを解放すべき契機を検出すると（例えばMMEとeNBの間の物理回線の支障を検出すると）、eNBは、非特許文献２、Sec. 5.3.5に従って、それらの複数のUEにRRC Connection Reconfigurationメッセージをそれぞれ送信する。RRC connection reconfigurationの完了を確認すると、各UEはRRC Connection Reconfiguration CompleteメッセージをeNBに送信する。また、非特許文献１、Sec. 8.2.3.2.2に従って、eNBはMMEにE-RAB Release Indicationメッセージを送信する。E-RAB Release Indicationメッセージの送信は、RRC Connection Reconfigurationメッセージの送信の後でもよいし前でもよい。留意すべきなのは、解放すべきE-RABに関連する複数のUEに対応して、複数のE-RAB Release IndicationメッセージがeNBからMMEに送信されることである。つまり、送信されるE-RAB Release Indicationメッセージの数はこれらのUEの数と等しい。
【０００７】
図３は、VoLTEを実施するためのシステム構成を示す。VoLTEはパケット通信を利用して音声通信を実現する技術である。図３のゲートウェイは、IMSおよびPDN（Packet Data Network、例えばインターネット）に接続されている。図３において、AGWはAccess Gateway Functionの略称であり、P-CSCFはProxy-Call Session Control Functionの略称である。UEとの音声通信は、PDNとIMSを介して実現される。一方、UEとの非音声通信はIMSを介さないでPDNを介して実現される。MMEは、eNBとゲートウェイの間の通信を制御する。したがって、MMEはゲートウェイを介してIMSおよびPDNと接続されている。
【先行技術文献】
【非特許文献】
【０００８】
【非特許文献１】3GPP TS 36.413 V10.4.0 (2011-12), 3rd Generation Partnership Project; Technical Specification Group Radio Access Network; Evolved Universal Terrestrial Radio Access Network (E-UTRAN); S1 Application Protocol (S1AP) (Release 10), ２０１１年１２月
【非特許文献２】3GPP TS 36.331 V10.3.0 (2011-09), 3rd Generation Partnership Project; Technical Specification Group Radio Access Network; Evolved Universal Terrestrial Radio Access (E-UTRA); Radio Resource Control (RRC); Protocol specification (Release 10), ２０１１年９月
【発明の概要】
【発明が解決しようとする課題】
【０００９】
従来提案されているVoLTEを実施するための通信システムにおいては、IMSに多くのUEが接続しているときに、IMSの装置が故障するなどの理由でIMS通信に支障が生じた場合には、複数のUEに関する複数のE-RABを解放する必要がある。他方、IMSを介さずに確立している非音声呼に関するE-RABは確立したまま継続することが好ましい。
【００１０】
従来の3GPPの規格に従って、MMEが開始する、複数のUEに関する複数のE-RABを解放する手順は、図１を参照して述べた通りである。この場合には、これらのE-RABを解放するために、MMEは複数のE-RAB Release Commandメッセージを送信し、複数のE-RAB Release ResponseメッセージをeNBから受信する。したがって、複数のE-RAB Release Responseメッセージを受信して処理するためにMMEへ過大な負荷がかかる懸念がある。MMEに一度にかかる負荷を低減するため、UE１つずつ順次、E-RABを解放することも考えられるが、その場合、多くのUEのすべてのE-RABを解放するまでに長い時間が必要となるであろう。また、MMEとeNBの間でリセット手順を実行することも考えられる（非特許文献１、Sec. 8.7.1）。しかし、リセット手順では、MMEとeNBの間の通信が絶たれ、結果的にeNBと通信していたUEに関するすべてのE-RABが解放されてしまう。したがって、IMSを介さずに確立している非音声呼に関するE-RABを継続することはできない。
【００１１】
他方、例えばMMEとeNBの間の物理回線の支障を検出すると、複数のUEに関する複数のE-RABを解放する手順をeNBが開始することがありうる。この手順は、図２を参照して述べた通りである。この場合には、これらのE-RABを解放するときに、eNBは複数のE-RAB Release IndicationメッセージをMMEに送信する。したがって、複数のE-RAB Release Responseメッセージを受信して処理するためにMMEへ過大な負荷がかかる懸念がある。MMEに一度にかかる負荷を低減するため、上記の二つの代替的な方策が考えられるが、同様の問題が生ずる。
【００１２】
そこで、本発明は、複数のUEに関する複数のE-RABを解放するときにMMEにかかる負荷を軽減する通信システム、モビリティ管理エンティティ、基地局、および通信方法を提供する。
【課題を解決するための手段】
【００１３】
本発明に係る第１の態様において、通信システムは、基地局と、モビリティ管理エンティティとを備え、前記モビリティ管理エンティティは、複数の移動局に関する複数のE-UTRAN Radio Access Bearer (E-RAB)を解放すべき契機を検出する検出部と、前記検出部で検出された解放すべき複数のE-RABを一括して特定する単一のE-RAB解放情報メッセージを前記移動局と通信している前記基地局に送信するモビリティ管理エンティティ送信部と、前記基地局から単一のE-RAB解放情報受領確認メッセージを受信するモビリティ管理エンティティ受信部とを備え、前記基地局は、前記E-RAB解放情報メッセージを受信する基地局受信部と、前記基地局受信部が前記E-RAB解放情報メッセージを受信すると、単一のE-RAB解放情報受領確認メッセージを前記モビリティ管理エンティティに送信する基地局送信部とを備える。なお、前記基地局は、前記基地局受信部が前記E-RAB解放情報メッセージを受信した後に、前記複数の移動局の各々に前記E-RABを解放するように指示する無線送信部をさらに備えてもよい。
この第１の態様において、モビリティ管理エンティティは、複数の移動局に関する複数のE-RABを解放するとき、解放すべき複数のE-RABを一括して特定する単一のE-RAB解放情報メッセージを基地局に送信し、単一のE-RAB解放情報受領確認メッセージを受信する。したがって、複数のUEに関する複数のE-RABを解放するときにMMEにかかる負荷を軽減することが可能である。
【００１４】
前記モビリティ管理エンティティは、前記モビリティ管理エンティティ受信部が前記E-RAB解放情報受領確認メッセージを受信すると、前記複数のE-RABに関する情報を解放されたことを示すように更新するE-RAB情報更新部をさらに備えてよい。
基地局からE-RAB解放情報受領確認メッセージを受信した後に、解放すべき複数のE-RABに関する情報を解放されたことを示すように、モビリティ管理エンティティが更新することにより、実際に確立されているE-RABとモビリティ管理エンティティで管理されている情報との不一致を避けることができる。解放されたことを示すように更新するとは、例えば、確立中のE-RABに関するモビリティ管理エンティティ内の記録から解放されたE-RABを削除することを含む。
【００１５】
前記モビリティ管理エンティティ送信部は、前記E-RAB解放情報メッセージを前記モビリティ管理エンティティ送信部が前記基地局に送信した後の一定時間に、E-RAB解放情報受領確認メッセージを前記基地局から前記モビリティ管理エンティティ受信部が受信しない場合に、前記E-RAB解放情報メッセージを前記基地局に再送してもよい。
このように再送することで、E-RAB解放情報メッセージが基地局に到達する確実性を高めることができる。
【００１６】
前記基地局は、前記基地局受信部が前記E-RAB解放情報メッセージを受信した後に、前記複数のE-RABに関する情報を解放されたことを示すように更新するE-RAB情報更新部をさらに備えてよい。
以上の構成によれば、モビリティ管理エンティティから送信されたE-RAB解放情報メッセージに基づいて、基地局で管理されている情報が更新されるので、モビリティ管理エンティティにおける情報と基地局における情報との不一致を避けることができる。
【００１７】
本発明に係る第２の態様において、通信システムは、基地局と、モビリティ管理エンティティとを備え、前記基地局は、前記基地局が通信している複数の移動局に関する複数のE-RABを解放すべき契機を検出する検出部と、前記検出部で検出された解放すべき複数のE-RABを一括して特定する単一のE-RAB解放情報メッセージをモビリティ管理エンティティに送信する基地局送信部と、前記モビリティ管理エンティティから単一のE-RAB解放情報受領確認メッセージを受信する基地局受信部とを備え、前記モビリティ管理エンティティは、前記E-RAB解放情報メッセージを受信するモビリティ管理エンティティ受信部と、前記モビリティ管理エンティティ受信部が前記E-RAB解放情報メッセージを受信すると、単一のE-RAB解放情報受領確認メッセージを前記基地局に送信するモビリティ管理エンティティ送信部とを備える。なお、前記基地局は、前記基地局送信部が前記E-RAB解放情報メッセージを送信した後に、前記複数の移動局の各々に前記E-RABを解放するように指示する無線送信部をさらに備えてもよい。
この第２の態様において、基地局は、複数の移動局に関する複数のE-RABを解放するとき、解放すべき複数のE-RABを一括して特定する単一のE-RAB解放情報メッセージをモビリティ管理エンティティに送信し、単一のE-RAB解放情報確認メッセージを受信する。したがって、複数のUEに関する複数のE-RABを解放するときにMMEにかかる負荷を軽減することが可能である。
【００１８】
前記モビリティ管理エンティティは、前記モビリティ管理エンティティ受信部が前記E-RAB解放情報メッセージを受信した後に、前記複数のE-RABに関する情報を解放されたことを示すように更新するE-RAB情報更新部とをさらに備えてよい。
基地局からE-RAB解放情報メッセージを受信した後に、解放すべき複数のE-RABに関する情報を解放されたことを示すように、モビリティ管理エンティティが更新することにより、実際に確立されているE-RABとモビリティ管理エンティティで管理されている情報との不一致を避けることができる。解放されたことを示すように更新するとは、例えば、確立中のE-RABに関するモビリティ管理エンティティ内の記録から解放されたE-RABを削除することを含む。
【００１９】
前記基地局送信部は、前記E-RAB解放情報メッセージを前記基地局送信部が前記モビリティ管理エンティティに送信した後の一定時間に、E-RAB解放情報受領確認メッセージを前記モビリティ管理エンティティから前記基地局受信部が受信しない場合に、前記E-RAB解放情報メッセージを前記モビリティ管理エンティティに再送してもよい。
このように再送することで、E-RAB解放情報メッセージがモビリティ管理エンティティに到達する確実性を高めることができる。特に、モビリティ管理エンティティと基地局の間の物理回線の支障、例えば瞬断があった場合には、E-RAB解放情報メッセージがモビリティ管理エンティティに到達しないことがありうるので、E-RAB解放情報メッセージを基地局が再送できることが好ましい。
【００２０】
前記基地局は、前記基地局受信部が前記E-RAB解放情報受領確認メッセージを受信すると、前記複数のE-RABに関する情報を解放されたことを示すように更新するE-RAB情報更新部をさらに備えてよい。
以上の構成によれば、モビリティ管理エンティティから送信されたE-RAB解放情報受領確認メッセージに基づいて、基地局で管理されている情報が更新されるので、モビリティ管理エンティティにおける情報と基地局における情報との不一致を避けることができる。
【００２１】
本発明に係る第１の態様において、モビリティ管理エンティティは、複数の移動局に関する複数のE-RABを解放すべき契機を検出する検出部と、前記検出部で検出された解放すべき複数のE-RABを一括して特定する単一のE-RAB解放情報メッセージを前記移動局と通信している基地局に送信するモビリティ管理エンティティ送信部と、前記基地局から単一のE-RAB解放情報受領確認メッセージを受信するモビリティ管理エンティティ受信部とを備える。
【００２２】
このモビリティ管理エンティティは、前記モビリティ管理エンティティ受信部が前記E-RAB解放情報受領確認メッセージを受信すると、前記複数のE-RABに関する情報を解放されたことを示すように更新するE-RAB情報更新部を備えてよい。
【００２３】
前記モビリティ管理エンティティ送信部は、前記E-RAB解放情報メッセージを前記モビリティ管理エンティティ送信部が前記基地局に送信した後の一定時間に、E-RAB解放情報受領確認メッセージを前記基地局から前記モビリティ管理エンティティ受信部が受信しない場合に、前記E-RAB解放情報メッセージを前記基地局に再送してもよい。
【００２４】
本発明に係る第２の態様において、モビリティ管理エンティティは、基地局が通信している複数の移動局に関する解放すべき複数のE-RABを一括して特定する単一のE-RAB解放情報メッセージを前記基地局から受信するモビリティ管理エンティティ受信部と、前記モビリティ管理エンティティ受信部が前記E-RAB解放情報メッセージを受信すると、単一のE-RAB解放情報受領確認メッセージを前記基地局に送信するモビリティ管理エンティティ送信部とを備える。
【００２５】
このモビリティ管理エンティティは、前記モビリティ管理エンティティ受信部が前記E-RAB解放情報メッセージを受信した後に、前記複数のE-RABに関する情報を解放されたことを示すように更新するE-RAB情報更新部をさらに備えてよい。
【００２６】
本発明に係る第１の態様において、基地局は、基地局が通信している複数の移動局に関する解放すべき複数のE-RABを一括して特定する単一のE-RAB解放情報メッセージをモビリティ管理エンティティから受信する基地局受信部と、前記基地局受信部が前記E-RAB解放情報メッセージを受信すると、単一のE-RAB解放情報受領確認メッセージを前記モビリティ管理エンティティに送信する基地局送信部とを備える。なお、前記基地局は、前記基地局受信部が前記E-RAB解放情報メッセージを受信した後に、前記複数の移動局の各々に前記E-RABを解放するように指示する無線送信部をさらに備えてもよい。
【００２７】
この基地局は、前記基地局受信部が前記E-RAB解放情報メッセージを受信した後に、前記複数のE-RABに関する情報を解放されたことを示すように更新するE-RAB情報更新部をさらに備えてよい。
【００２８】
本発明に係る第２の態様において、基地局は、基地局が通信している複数の移動局に関する複数のE-RABを解放すべき契機を検出する検出部と、前記検出部で検出された解放すべき複数のE-RABを一括して特定する単一のE-RAB解放情報メッセージをモビリティ管理エンティティに送信する基地局送信部と、前記モビリティ管理エンティティから単一のE-RAB解放情報受領確認メッセージを受信する基地局受信部とを備える。なお、前記基地局は、前記基地局送信部が前記E-RAB解放情報メッセージを送信した後に、前記複数の移動局の各々に前記E-RABを解放するように指示する無線送信部をさらに備えてもよい。
【００２９】
前記基地局送信部は、前記E-RAB解放情報メッセージを前記基地局送信部が前記モビリティ管理エンティティに送信した後の一定時間に、E-RAB解放情報受領確認メッセージを前記モビリティ管理エンティティから前記基地局受信部が受信しない場合に、前記E-RAB解放情報メッセージを前記モビリティ管理エンティティに再送してよい。
【００３０】
この基地局は、前記基地局受信部が前記E-RAB解放情報受領確認メッセージを受信すると、前記複数のE-RABに関する情報を解放されたことを示すように更新するE-RAB情報更新部をさらに備えてよい。
【００３１】
本発明に係る第１の態様において、通信方法は、複数の移動局に関する複数のE-RABを解放すべき契機をモビリティ管理エンティティが検出することと、解放すべき複数のE-RABを一括して特定する単一のE-RAB解放情報メッセージを前記移動局と通信している基地局に前記モビリティ管理エンティティが送信することと、前記E-RAB解放情報メッセージを受信すると、単一のE-RAB解放情報受領確認メッセージを前記基地局が前記モビリティ管理エンティティに送信することとを備える。なお、前記通信方法は、前記E-RAB解放情報メッセージを受信した後に、前記複数の移動局の各々に前記E-RABを解放するように前記基地局が指示することをさらに備えてもよい。
【００３２】
この通信方法は、前記E-RAB解放情報受領確認メッセージを受信すると、前記モビリティ管理エンティティが前記複数のE-RABに関する情報を解放されたことを示すように更新することをさらに備えてよい。
【００３３】
この通信方法では、前記E-RAB解放情報メッセージを前記モビリティ管理エンティティが前記基地局に送信した後の一定時間に、E-RAB解放情報受領確認メッセージを前記基地局から受信しない場合に、前記E-RAB解放情報メッセージを前記モビリティ管理エンティティが前記基地局に再送してよい。
【００３４】
この通信方法は、前記E-RAB解放情報メッセージを受信した後に、前記基地局が前記複数のE-RABに関する情報を解放されたことを示すように更新することをさらに備えてよい。
【００３５】
本発明に係る第２の態様において、通信方法は、複数の移動局に関する複数のE-RABを解放すべき契機を、前記移動局と通信している基地局が検出することと、解放すべき複数のE-RABを一括して特定する単一のE-RAB解放情報メッセージを前記基地局がモビリティ管理エンティティに送信することと、前記E-RAB解放情報メッセージを受信すると、単一のE-RAB解放情報受領確認メッセージを前記モビリティ管理エンティティが前記基地局に送信することとを備える。なお、前記通信方法は、前記E-RAB解放情報メッセージを送信した後に、前記複数の移動局の各々に前記E-RABを解放するように前記基地局が指示することをさらに備えてもよい。
【００３６】
この通信方法は、前記E-RAB解放情報メッセージを受信すると、前記モビリティ管理エンティティが前記複数のE-RABに関する情報を解放されたことを示すように更新することをさらに備えてよい。
【００３７】
この通信方法では、前記E-RAB解放情報メッセージを前記基地局が前記モビリティ管理エンティティに送信した後の一定時間に、E-RAB解放情報受領確認メッセージを前記モビリティ管理エンティティから受信しない場合に、前記E-RAB解放情報メッセージを前記基地局が前記モビリティ管理エンティティに再送してよい。
【００３８】
この通信方法は、前記E-RAB解放情報受領確認メッセージを受信すると、前記基地局が前記複数のE-RABに関する情報を解放されたことを示すように更新することをさらに備えてよい。
【図面の簡単な説明】
【００３９】
【図１】従来の3GPPの規格に従って複数の移動局に関して複数のE-RABを解放する手順の一例を示すシーケンス図である。
【図２】従来の3GPPの規格に従って複数の移動局に関して複数のE-RABを解放する手順の他の一例を示すシーケンス図である。
【図３】VoLTEを実施するためのシステム構成を示す図である。
【図４】本発明の第１の実施の形態に係る通信方法を示すシーケンス図である。
【図５】第１の実施の形態に係るモビリティ管理エンティティの動作を示すフローチャートである。
【図６】第１の実施の形態に係る基地局を示すブロック図である。
【図７】第１の実施の形態に係るモビリティ管理エンティティを示すブロック図である。
【図８】本発明の第２の実施の形態に係る通信方法を示すシーケンス図である。
【図９】第２の実施の形態に係る基地局の動作を示すフローチャートである。
【図１０】第２の実施の形態に係る基地局を示すブロック図である。
【図１１】第２の実施の形態に係るモビリティ管理エンティティを示すブロック図である。
【発明を実施するための形態】
【００４０】
以下、添付の図面を参照しながら本発明に係る様々な実施の形態を説明する。説明の簡便化のため、本発明に係る通信システムは、図３に示して上述したVoLTEを実施するための構成を有すると想定する。しかし、本発明はVoLTEを実施する通信システムに限定されず、MME（モビリティ管理エンティティ）またはeNB（基地局）が複数のUE（移動局）に関する複数のE-RABを解放する契機を検出する他の通信システムに応用することができる。図３では１つのUEしか示されておらず、１つのeNBしか示されていないが、多数のUEおよびeNBがあることは当業者に理解されることである。
【００４１】
第１の実施の形態
以下、図４から図７を参照して、本発明の第１実施形態に係る複数のE-RABの解放について説明する。第１実施形態では、MMEがE-RAB解放の契機を検出してE-RABの解放が開始される。
【００４２】
図４に示すように、MMEは、複数のUEに関する複数のE-RABを解放すべき契機（E-RAB解放契機）を検出したか否かを判定する。E-RAB解放契機が検出されると、MMEは、解放すべき複数のE-RABを判定する。判定後、MMEは、一定時間をカウントするタイマー（詳細は後述される）をスタートさせると共に、解放すべき複数のE-RABを一括して特定する単一のE-RAB Release Informationメッセージ（E-RAB解放情報メッセージ）をこれらのUE（解放すべき複数のE-RABに各々が対応する複数のUE）と通信しているeNBに送信する。
【００４３】
eNBは、E-RAB Release Informationメッセージを受信すると、単一のE-RAB Release Information Acknowledgeメッセージ（E-RAB解放情報受領確認メッセージ）をMMEに送信する。eNBは、E-RAB Release Informationメッセージを受信した後に、複数のUEの各々にE-RABを解放するように指示する。より具体的には、eNBは、E-RAB Release Informationメッセージを受信した後、非特許文献２、Sec. 5.3.5に従って、それらの複数のUEにRRC Connection Reconfigurationメッセージをそれぞれ送信する。各UEは、受信したRRC Connection Reconfigurationメッセージに従って自機の無線設定（RRC connection reconfiguration）を実行する。自機の無線設定（RRC connection reconfiguration）の完了を確認すると、各UEは、RRC Connection Reconfiguration CompleteメッセージをeNBに送信する。
【００４４】
なお、eNBがE-RAB Release Information Acknowledgeメッセージを送信した後に、複数のUEにRRC Connection Reconfigurationメッセージをそれぞれ送信してもよいし、eNBがE-RAB Release Information Acknowledgeメッセージを送信する前に、複数のUEにRRC Connection Reconfigurationメッセージをそれぞれ送信してもよい。
【００４５】
E-RAB Release Information Acknowledgeメッセージを受信した後に、MMEが、複数のE-RABに関する情報（E-RAB情報）を、E-RABが解放されたことを示すように更新してもよい。「E-RABが解放されたことを示すように更新する」とは、例えば、確立中のE-RABに関するMME内の記録（E-RAB情報）から、解放されたE-RABを削除することを含む。
なお、MMEは、E-RAB Release Information Acknowledgeメッセージを受信する前に、複数のE-RABに関する情報（E-RAB情報）を、E-RABが解放されたことを示すように更新してもよい。以上の更新は、E-RAB Release Informationメッセージに従って実行されると好適である。
【００４６】
また、E-RAB Release Information Acknowledgeメッセージを送信した後に、eNBが、複数のE-RABに関する情報（E-RAB情報）を、E-RABが解放されたことを示すように更新してもよい。なお、eNBは、E-RAB Release Information Acknowledgeメッセージを送信する前であっても、E-RAB Release Informationメッセージを受信した後であれば、複数のE-RABに関する情報（E-RAB情報）を、E-RABが解放されたことを示すように更新してもよい。
【００４７】
なお、MMEは、上述した処理の他、E-RABの解放に必要な処理を実行するように他のノードを制御してもよい。例えば、解放すべきE-RABが設定されているゲートウェイに対して、そのE-RABを解放させる制御メッセージを送信してもよい。
【００４８】
図５は、第１実施形態のMMEが実行する複数E-RAB解放制御の動作フローの一例を示す図である。MMEは、E-RAB解放契機を検出すると（S10:YES）、解放すべき複数のE-RABを判定する（S20）。ステップS20の後、MMEは、一定時間をカウントするタイマーをスタートさせる（S30）と共に、解放すべき複数のE-RABを示す単一のE-RAB Release InformationメッセージをeNBに送信する（S40）。
【００４９】
その後、MMEは、eNBからE-RAB Release Information Acknowledgeを受信したか否かを判定する（S50）。MMEは、ステップS30で設定したタイマーが満了するまでの間、上記の判定を継続する（S50、S60）。タイマーが満了するまでにE-RAB Release Information Acknowledgeが受信されない場合（S60:YES）、MMEは、タイマーを再度スタートさせる（S30）と共に、E-RAB Release InformationメッセージをeNBに再送する（S40）。
すなわち、図５の制御例においては、E-RAB Release InformationメッセージをMMEがeNBに送信した後の一定時間において、E-RAB Release Information AcknowledgeメッセージをeNBから受信しない場合に、E-RAB Release InformationメッセージをMMEがeNBに再送する。なお、再送回数に制限を設ける構成も採用可能である。
【００５０】
他方、eNBからE-RAB Release Information Acknowledgeメッセージを受信すると（S50:YES）、MMEは、処理をステップS10に戻してE-RAB解放契機の検出を再び実行する。なお、前述のように、MMEは、E-RAB Release Information Acknowledgeメッセージの受信後に（S50:YES）、MME内のE-RAB情報を更新してもよい。
【００５１】
図６は、以上に説明した複数E-RAB解放を実現するMMEの構成の一例を示すブロック図である。MMEは、制御部１００と送信部１１０と受信部１２０とを備える。制御部１００は、送信部１１０および受信部１２０を含むMME全体の動作を制御する。制御部１００は、複数のUEに関する複数のE-RABを解放すべき契機を検出する検出部１０２を備える。送信部１１０は、検出部１０２で検出された、解放すべき複数のE-RABを一括して特定する単一のE-RAB Release InformationメッセージをUEと通信しているeNBに送信するモビリティ管理エンティティ送信部である。受信部１２０は、eNBから単一のE-RAB Release Information Acknowledgeメッセージを受信するモビリティ管理エンティティ受信部である。
【００５２】
MMEの制御部１００は、受信部（モビリティ管理エンティティ受信部）１２０がE-RAB Release Information Acknowledgeメッセージを受信すると、複数のE-RABに関する情報（E-RAB情報）を解放されたことを示すように更新するE-RAB情報更新部１０４を備えてよい。また、E-RAB情報は、記憶部１３０に記憶され得る。
【００５３】
図５を参照して前述したように、送信部（モビリティ管理エンティティ送信部）１１０は、E-RAB Release Informationメッセージを送信部１１０がeNBに送信した後の一定時間に、E-RAB Release Information AcknowledgeメッセージをeNBから受信部１２０が受信しない場合に、E-RAB Release InformationメッセージをeNBに再送してもよい。
【００５４】
制御部１００は、MME内の図示しないＣＰＵ（Central Processing Unit）が、記憶部１３０に記憶されたコンピュータプログラムを実行し、そのコンピュータプログラムに従って機能することで実現される機能ブロックである。
【００５５】
図７は、以上に説明した複数E-RAB解放を実現するeNBの構成の一例を示すブロック図である。eNBは、制御部２００と受信部２１０と送信部２２０と無線送信部２３０と無線受信部２４０とを備える。制御部２００は、受信部２１０と送信部２２０と無線送信部２３０と無線受信部２４０とを含むeNB全体の動作を制御する。受信部２１０は、eNBが通信している複数のUEに関する解放すべき複数のE-RABを一括して特定する単一のE-RAB Release InformationメッセージをMMEから受信する基地局受信部である。送信部２２０は、受信部２１０がE-RAB Release Informationメッセージを受信すると、単一のE-RAB Release Information AcknowledgeメッセージをMMEに送信する基地局送信部である。無線送信部２３０は、受信部２１０がE-RAB Release Informationメッセージを受信した後に、複数のUEの各々にE-RABを解放するように指示する（RRC Connection Reconfigurationメッセージを送信する）。無線受信部２４０は、UEからRRC Connection Reconfiguration Completeメッセージを受信する。
【００５６】
eNBの制御部２００は、受信部２１０がE-RAB Release Informationメッセージを受信すると、複数のE-RABに関する情報（E-RAB情報）を、E-RABが解放されたことを示すように更新するE-RAB情報更新部２０４を備えてよい。また、E-RAB情報は、記憶部２５０に記憶され得る。
【００５７】
制御部２００は、eNB内の図示しないＣＰＵが、記憶部２５０に記憶されたコンピュータプログラムを実行し、そのコンピュータプログラムに従って機能することで実現される機能ブロックである。
【００５８】
以上の構成によれば、MMEは、複数のUEに関する複数のE-RABを解放するとき、解放すべき複数のE-RABを一括して特定する単一のE-RAB Release InformationメッセージをeNBに送信し、単一のE-RAB Release Information Acknowledgeメッセージを受信する。したがって、１つのE-RABを解放するにつき１つのメッセージが必要な構成と比較して、複数のUEに関する複数のE-RABを解放するときにMMEにかかる負荷を軽減することが可能である。
【００５９】
MME（制御部１００）は、受信部１２０がE-RAB Release Information Acknowledgeメッセージを受信すると、複数のE-RABに関する情報（E-RAB情報）を解放されたことを示すように更新するE-RAB情報更新部１０４を備え得る。
以上の構成によれば、eNBからE-RAB Release Information Acknowledgeメッセージを受信した後に、解放すべき複数のE-RABに関する情報を解放されたことを示すように、MMEが更新することにより、実際に確立されているE-RABとMMEで管理されている情報との不一致を避けることができる。
【００６０】
MMEの送信部１１０（モビリティ管理エンティティ送信部）は、E-RAB Release Informationメッセージを送信部１１０がeNBに送信した後の一定時間に、E-RAB Release Information AcknowledgeメッセージをeNBから受信部１２０が受信しない場合に、E-RAB Release InformationメッセージをeNBに再送してもよい。このように再送することで、E-RAB Release InformationメッセージがeNBに到達する確実性を高めることができる。
【００６１】
以上の構成によれば、MMEが解放すべきE-RABを特定してeNBに解放を指示するので、MMEとeNBとの間でリセット手順を実行することにより全てのE-RABを解放する構成と比較して、IMSを介さずに確立している非音声呼に関するE-RABは確立したまま継続され得る。
【００６２】
第２の実施の形態
以下、図８から図１１を参照して、本発明の第２実施形態に係る複数のE-RABの解放について説明する。第１実施形態ではMMEがE-RAB解放の契機を検出したが、第２実施形態ではeNBがE-RAB解放の契機を検出してE-RABの解放が開始される。
【００６３】
図８は、本発明の第２の実施の形態に係る通信方法を示すシーケンス図である。複数のUEに関する複数のE-RABを解放すべき契機を、UEと通信しているeNBが検出する。E-RAB解放契機が検出されると、eNBは、解放すべき複数のE-RABを判定する。判定後、eNBは、一定時間をカウントするタイマー（詳細は後述される）をスタートさせると共に、解放すべき複数のE-RABを一括して特定する単一のE-RAB Release InformationメッセージをMMEに送信する。
【００６４】
MMEは、E-RAB Release Informationメッセージを受信すると、単一のE-RAB Release Information AcknowledgeメッセージをeNBに送信する。eNBは、E-RAB Release Information Acknowledgeメッセージを受信した後に、複数のUEの各々にE-RABを解放するように指示する。より具体的には、eNBは、E-RAB Release Information Acknowledgeメッセージを受信した後、非特許文献２、Sec. 5.3.5に従って、それらの複数のUEにRRC Connection Reconfigurationメッセージをそれぞれ送信する。各UEは、受信したRRC Connection Reconfigurationメッセージに従って自機の無線設定（RRC connection reconfiguration）を実行する。自機の無線設定（RRC connection reconfiguration）の完了を確認すると、各UEは、RRC Connection Reconfiguration CompleteメッセージをeNBに送信する。
なお、eNBは、E-RAB Release Information Acknowledgeメッセージを受信する前であっても、解放すべき複数のE-RABが判定された後であれば、RRC Connection ReconfigurationメッセージをUEに送信してもよい。
【００６５】
なお、eNBがRRC Connection Reconfigurationメッセージを送信する前にE-RAB Release Informationメッセージを送信してもよいし、eNBがRRC Connection Reconfigurationメッセージを送信した後にE-RAB Release Informationメッセージを送信してもよい。
【００６６】
E-RAB Release Informationメッセージを受信した後に、MMEが、複数のE-RABに関する情報（E-RAB情報）を解放されたことを示すように更新してもよい。「解放されたことを示すように更新する」とは、例えば、確立中のE-RABに関するMME内の記録（E-RAB情報）から解放されたE-RABを削除することを含む。E-RAB情報の更新は、E-RAB Release Information AcknowledgeメッセージをMMEがeNBに送信する前でもよいし後でもよい。
【００６７】
また、E-RAB Release Information Acknowledgeメッセージを受信した後に、eNBが、複数のE-RABに関する情報（E-RAB情報）を、E-RABが解放されたことを示すように更新してもよい。なお、eNBは、E-RAB Release Information Acknowledgeメッセージを受信する前であっても、E-RAB Release Informationメッセージを送信した後であれば、複数のE-RABに関する情報（E-RAB情報）を、E-RABが解放されたことを示すように更新してもよい。
【００６８】
なお、MMEは、上述した処理の他、E-RABの解放に必要な処理を実行するように他のノードを制御してもよい。例えば、解放すべきE-RABが設定されているゲートウェイに対して、そのE-RABを解放させる制御メッセージを送信してもよい。
【００６９】
図９は、第２実施形態のeNBが実行する複数E-RAB解放制御の動作フローの一例を示す図である。eNBは、E-RAB解放契機を検出すると（S110:YES）、解放すべき複数のE-RABを判定する（S120）。ステップS120の後、eNBは、一定時間をカウントするタイマーをスタートさせる（S130）と共に、解放すべき複数のE-RABを示す単一のE-RAB Release InformationメッセージをMMEに送信する（S140）。
【００７０】
その後、eNBは、MMEからE-RAB Release Information Acknowledgeを受信したか否かを判定する（S150）。eNBは、ステップS130で設定したタイマーが満了するまでの間、上記の判定を継続する（S150、S160）。タイマーが満了するまでにE-RAB Release Information Acknowledgeが受信されない場合（S160:YES）、eNBは、タイマーを再度スタートさせる（S130）と共に、E-RAB Release InformationメッセージをMMEに再送する（S140）。
すなわち、図９の制御例においては、E-RAB Release InformationメッセージをeNBがMMEに送信した後の一定時間において、E-RAB Release Information AcknowledgeメッセージをMMEから受信しない場合に、E-RAB Release InformationメッセージをeNBがMMEに再送する。なお、再送回数に制限を設ける構成も採用可能である。
【００７１】
他方、MMEからE-RAB Release Information Acknowledgeメッセージを受信すると（S150:YES）、eNBは、E-RAB解放を指示するRRC Connection Reconfigurationメッセージを複数のUEの各々に送信する（S170）。各UEは、受信したRRC Connection Reconfigurationメッセージに従って自機の無線設定（RRC connection reconfiguration）を実行し、RRC Connection Reconfiguration CompleteメッセージをeNBに送信する。eNBは、各UEからのRRC Connection Reconfiguration Completeメッセージを受信する（S180）。そして、eNBは、処理をステップS110に戻してE-RAB解放契機の検出を再び実行する。
【００７２】
図１０は、以上に説明した複数E-RAB解放を実現するMMEの構成の一例を示すブロック図である。MMEは、制御部１００と送信部１１０と受信部１２０とを備える。制御部１００は、送信部１１０および受信部１２０を含むMME全体の動作を制御する。受信部１２０は、eNBが通信している複数のUEに関する解放すべき複数のE-RABを一括して特定する単一のE-RAB Release InformationメッセージをeNBから受信するモビリティ管理エンティティ受信部である。送信部１１０は、受信部１２０がE-RAB Release Informationメッセージを受信すると、単一のE-RAB Release Information AcknowledgeメッセージをeNBに送信するモビリティ管理エンティティ送信部である。
【００７３】
MMEの制御部１００は、受信部（モビリティ管理エンティティ受信部）１２０がE-RAB Release Informationメッセージを受信すると、複数のE-RABに関する情報（E-RAB情報）を解放されたことを示すように更新するE-RAB情報更新部１０４を備えてよい。また、E-RAB情報は、記憶部１３０に記憶され得る。
【００７４】
制御部１００は、MME内の図示しないＣＰＵが、記憶部１３０に記憶されたコンピュータプログラムを実行し、そのコンピュータプログラムに従って機能することで実現される機能ブロックである。
【００７５】
図１１は、以上に説明した複数E-RAB解放を実現するeNBの構成の一例を示すブロック図である。eNBは、制御部２００と受信部２１０と送信部２２０と無線送信部２３０と無線受信部２４０とを備える。制御部２００は、受信部２１０と送信部２２０と無線送信部２３０と無線受信部２４０とを含むeNB全体の動作を制御する。制御部２００は、eNBが通信している複数のUEに関する複数のE-RABを解放すべき契機を検出する検出部２０２を備える。送信部２２０は、検出部で検出された解放すべき複数のE-RABを一括して特定する単一のE-RAB Release InformationメッセージをMMEに送信する基地局送信部である。受信部２１０は、MMEから単一のE-RAB Release Information Acknowledgeメッセージを受信する基地局受信部である。無線送信部２３０は、送信部２２０がE-RAB Release Informationメッセージを送信した後に、複数のUEの各々にE-RABを解放するように指示する（RRC Connection Reconfigurationメッセージを送信する）。無線受信部２４０は、UEからRRC Connection Reconfiguration Completeメッセージを受信する。
【００７６】
eNBの制御部２００は、受信部２１０がE-RAB Release Information Acknowledgeメッセージを受信すると、複数のE-RABに関する情報（E-RAB情報）を、E-RABが解放されたことを示すように更新するE-RAB情報更新部２０４を備えてよい。また、E-RAB情報は、記憶部２５０に記憶され得る。
【００７７】
図９を参照して前述したように、送信部（基地局送信部）２２０は、E-RAB Release Informationメッセージを送信部２２０がMMEに送信した後の一定時間に、E-RAB Release Information AcknowledgeメッセージをMMEから受信部２１０が受信しない場合に、E-RAB Release InformationメッセージをMMEに再送してもよい。
【００７８】
制御部２００は、eNB内の図示しないＣＰＵが、記憶部２５０に記憶されたコンピュータプログラムを実行し、そのコンピュータプログラムに従って機能することで実現される機能ブロックである。
【００７９】
以上の構成によれば、eNBは、複数のUEに関する複数のE-RABを解放するとき、解放すべき複数のE-RABを一括して特定する単一のE-RAB Release InformationメッセージをMMEに送信し、単一のE-RAB Release Informationメッセージを受信する。したがって、複数のUEに関する複数のE-RABを解放するときにMMEにかかる負荷を軽減することが可能である。
【００８０】
MME（制御部１００）は、受信部１２０がE-RAB Release Informationメッセージを受信した後に、複数のE-RABに関する情報（E-RAB情報）を解放されたことを示すように更新するE-RAB情報更新部１０４を備え得る。
以上の構成によれば、eNBからE-RAB Release Information確認メッセージを受信した後に、解放すべき複数のE-RABに関する情報を解放されたことを示すように、MMEが更新することにより、実際に確立されているE-RABとMMEで管理されている情報との不一致を避けることができる。
【００８１】
eNBの送信部２２０（基地局送信部）は、E-RAB Release Informationメッセージを送信部２２０がMMEに送信した後の一定時間に、E-RAB Release Information AcknowledgeメッセージをMMEから受信部２１０が受信しない場合に、E-RAB Release InformationメッセージをMMEに再送してもよい。このように再送することで、E-RAB Release InformationメッセージがMMEに到達する確実性を高めることができる。特に、MMEとeNBの間の物理回線の支障、例えば瞬断があった場合には、E-RAB Release InformationメッセージがMMEに到達しないことがありうるので、E-RAB Release InformationメッセージをeNBが再送できることが好適であると理解される。
【００８２】
他の変形
以上の実施の形態は多様に変形される。具体的な変形の態様を以下に例示する。以下の例示から任意に選択された２以上の態様は相互に矛盾しない限り適宜に併合され得る。
【００８３】
（１）変形例１
UEは、eNBと無線通信が可能な任意の装置である。UEは、例えば携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００８４】
（２）変形例２
MMEおよびeNBにおいてＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【符号の説明】
【００８５】
eNB……基地局、１００……制御部、１０２……検出部、１０４……E-RAB情報更新部、１１０……送信部、１２０……受信部、１３０……記憶部、MME……モビリティ管理エンティティ、２００……制御部、２０２……検出部、２０４……E-RAB情報更新部、２１０……受信部、２２０……送信部、２３０……無線送信部、２４０……無線受信部、２５０……記憶部。  
【図１】
2013187672.tif 000003
【図２】
2013187672.tif 000004
【図３】
2013187672.tif 000005
【図４】
2013187672.tif 000006
【図５】
2013187672.tif 000007
【図６】
2013187672.tif 000008
【図７】
2013187672.tif 000009
【図８】
2013187672.tif 000010
【図９】
2013187672.tif 000011
【図１０】
2013187672.tif 000012
【図１１】
2013187672.tif 000013